【手続補正書】
【提出日】平成17年9月9日(2005.9.9)
【手続補正１】
【補正対象書類名】明細書
【補正対象項目名】特許請求の範囲
【補正方法】変更
【補正の内容】
【特許請求の範囲】
【請求項１】  データを記憶するためのランド領域およびデータの記憶を妨げるためのトラフ領域から成るパターン付き媒体と、
前記パターン付き媒体に前記データを書き込む書込み要素と、
前記パターン付き媒体から前記データを読み取る、前記書込み要素より幅が広い読取り要素とから構成され、
前記読取り要素および前記書込み要素は、読取り中および書込み中、前記パターン付き媒体の上を移動する記録ヘッドの一部であり、
前記トラフ領域は、前記トラフ領域へのデータの磁気書込みを防止するのに十分な前記記録ヘッドに対する深さを有する磁気記録システム。
【請求項２】  データを記憶するためのランド領域およびデータの記憶を妨げるためのトラフ領域から成るパターン付き媒体と、
前記パターン付き媒体に前記データを書き込む書込み要素と、
前記書込み要素の幅より広い幅を有し、前記パターン付き媒体から前記データを読み取る読取り要素とから構成され、
前記ランド領域は前記トラフ領域によって互いに分離されたデータ・アイランドを含む磁気記録システム。
【請求項３】  前記データを記憶するためのランド領域および前記ランド領域を互いに実質的に分離するトラフ領域を含む、データを記憶する複数のトラックを有する磁気ディスクと、
書込み要素および読取り要素を含み、前記読取り要素が前記書込み要素の幅より広い幅を有する前記磁気ディスクにデータを転送し、また前記磁気ディスクからデータを転送する記録ヘッドとを含むディスク・ドライブ。
【請求項４】  記憶手段上に物理的にスタンピングされた消去帯によって分離されているデータ・トラックの中にデータを磁気式に記憶するための記憶手段と、
前記記憶手段にデータを書き込むための書込み手段と、
前記書込み手段の幅より広い幅を有し、前記記憶手段からデータを読み取るための読取り手段とから構成され、
前記読取り手段および前記書込み手段が、読取り中および書込み中、前記記憶手段の上を移動する記録手段の一部であり、
前記消去帯は、前記トラフへのデータの磁気書込みを防止するのに十分な前記記録手段に対する深さを有することを特徴とする磁気記録装置。
【請求項５】  記憶手段上に物理的にスタンピングされた消去帯によって分離されているデータ・トラックの中にデータを磁気式に記憶するための記憶手段と、
前記記憶手段にデータを書き込むための書込み手段と、
前記書込み手段の幅より広い幅を有する前記記憶手段からデータを読み取るための読取り手段とから構成され、
前記読取り手段および前記書込み手段は、読取り中および書込み中、前記記憶手段の上を移動する記録手段の一部であり、
前記データ・トラックは、トラフによって分離されたデータ・アイランドのシーケンスを含むことを特徴とする磁気記録装置。
【請求項６】  データを記憶するためのランド領域、およびデータの記憶を禁止するためのトラフ領域から成るパターン付き媒体と、
読取り要素を有し、前記読取り要素が、前記ランド領域の幅より広い幅を有する前記パターン付き媒体の前記ランド領域に対してデータの読取りおよび書込みを行う記録ヘッドとから構成され、
前記記録ヘッドは、前記読取り要素の前記幅より狭く、かつ前記ランド領域の前記幅に等しいか、または前記ランド領域の前記幅より広い幅を有する書込み要素をさらに含む磁気記録システム。
【請求項７】  データを記憶するためのランド領域、およびデータの記憶を妨げるためのトラフ領域から成るパターン付き媒体と、
読取り要素を有し、前記読取り要素が、前記ランド領域の幅より広い幅を有する前記パターン付き媒体の前記ランド領域に対してデータの読取りおよび書込みを行う記録ヘッドとから構成され、
前記ランド領域は、前記トラフ領域によって互いに分離されたデータ・アイランドを含む磁気記録システム。
【請求項８】  データを記憶するランド領域と、
サーボ情報を記憶するトラフ領域と、
前記トラフに対して前記ランド領域より低い高さを有する前記サーボ情報を含むステップを含む磁気記録媒体。
【請求項９】  データを記憶するランド領域と、
サーボ情報を記憶するトラフ領域と、
ランド領域が、データ・トラックとから構成され、第１のトラフが、前記ランド領域の一方の側を境界付け、また第２のトラフが、前記ランド領域の別の側を境界付け、前記第１のトラフの中の前記サーボ情報が、前記第２のトラフの中の前記サーボ情報とは異なる周波数である磁気記録媒体。
【請求項１０】  データを記憶するランド領域、およびサーボ情報を記憶するトラフ領域から成るパターン付き媒体と、
前記パターン付き媒体の前記ランド領域に対してデータの読取りおよび書込みを行い、かつ前記トラフ領域からサーボ情報を読み取る記録ヘッドとから構成され、
前記記録ヘッドは、読取り要素および書込み要素を有し、且つ前記読取り要素は、前記書込み要素の幅より広い幅を有する磁気記録システム。
【請求項１１】  データを記憶するランド領域、およびサーボ情報を記憶するトラフ領域から成るパターン付き媒体と、
前記パターン付き媒体の前記ランド領域に対してデータの読取りおよび書込みを行い、かつ前記トラフ領域からサーボ情報を読み取る記録ヘッドとから構成され、
前記トラフ領域は、前記トラフに対して前記ランド領域より低い高さを有する前記サーボ情報を含むステップを含む磁気記録媒体。
【請求項１２】  データを記憶するランド領域、およびサーボ情報を記憶するトラフ領域から成るパターン付き媒体と、
前記パターン付き媒体の前記ランド領域に対してデータの読取りおよび書込みを行い、かつ前記トラフ領域からサーボ情報を読み取る記録ヘッドとから構成され、
ランド領域は、データ・トラックを含み、第１のトラフは、前記ランド領域の一方の側を境界付け、また第２のトラフは、前記ランド領域の別の側を境界付け、前記第１のトラフの中の前記サーボ情報は、前記第２のトラフの中の前記サーボ情報とは異なる周波数である磁気記録媒体。
【請求項１３】  データを記憶するランド領域、およびサーボ情報を記憶するトラフ領域から成るパターン付き媒体の上方で記録ヘッドを動かすステップと、
ランド領域上にデータを転送するステップと、
前記データを転送するのと同時にトラフ領域からサーボ情報を読み取るステップと、
前記サーボ情報を使用して前記記録ヘッドを前記ランド領域に対して動かすステップとを含み、
前記ランド領域はデータ・トラックを含み、第１のトラフは、前記ランド領域の一方の側を境界付け、また第２のトラフは前記ランド領域の別の側を境界付け、
前記サーボ情報を使用して前記記録ヘッドを動かすことが、前記第１のトラフからのサーボ情報を前記第２のトラフからのサーボ情報と比較し、前記比較に基づいて前記記録ヘッドの位置合わせを修正すること、
前記第１のトラフの中の前記サーボ情報が前記第２のトラフの中の前記サーボ情報とは異なる周波数であるデータにアクセスする方法。
【請求項１４】  データを記憶するランド領域、およびサーボ情報を記憶するトラフ領域から成るパターン付き媒体の上方で記録ヘッドを動かすステップと、
ランド領域上にデータを転送するステップと、
前記データを転送するのと同時にトラフ領域からサーボ情報を読み取るステップと、
前記サーボ情報を使用して前記記録ヘッドを前記ランド領域に対して動かすステップとを含み、
前記記録ヘッドは読取り要素および書込み要素を有し、前記読取り要素は前記書込み要素の幅より広い幅を有するデータにアクセスする方法。
【請求項１５】  データを記憶するためのランド領域およびデータの記憶を妨げるためのトラフ領域から成るパターン付き媒体と、
前記パターン付き媒体に前記データを書き込む書込み要素と、
前記書込み要素より幅が広い幅を有し、前記パターン付き媒体から前記データを読み取る、読取り要素とを含む磁気記録システム。
【請求項１６】  記憶手段上に物理的にスタンピングされた消去帯によって分離されているデータ・トラックの中にデータを磁気式に記憶するための記憶手段と、
前記記憶手段にデータを書き込むための書込み手段と、
前記書込み手段の幅より広い幅を有する前記記憶手段からデータを読み取るための読取り手段とを含む磁気記録装置。
【請求項１７】  データを記憶するランド領域、およびサーボ情報を記憶するトラフ領域から成るパターン付き媒体の上方で記録ヘッドを動かすステップと、
ランド領域上にデータを転送するステップと、
前記データを転送するのと同時にトラフ領域からサーボ情報を読み取るステップと、
前記サーボ情報を使用して前記記録ヘッドを前記ランド領域に対して動かすステップとを含むデータにアクセスする方法。
【請求項１８】  アルミ合金基板と、
上記アルミ合金基板上に形成したＮｉｐ層と、
上記Ｎｉｐ層上に形成した１又はそれ以上のパターン層とから構成されるパターン付き磁気記録媒体であって、
上記１又はそれ以上のパターン層はランド領域とトラフ領域を形成し、このランド領域はデータを蓄積し且つトラフ領域はランド領域間にデータを蓄積するのを禁止することを特徴とする磁気媒体。